(57)【特許請求の範囲】
【請求項１】
開閉可能なケーシングと、ケーシングの開閉に拘わらず表示面が外部に露出しているディスプレイと、文字を入力するための複数の操作キーを有し、ケーシングを開くことによって操作面が外部に露出するキー入力装置とを具え、電子情報からなるメールの送受信が可能な携帯電話機において、
ケーシングの開閉状態を検出する開閉検出手段と、
メールを受信する受信手段と、
ケーシングを閉じた状態でメールが受信されたとき、受信メールの内容を前記ディスプレイに表示した後、ケーシングの開状態が検出されたとき、受信メールの送信相手又は該送信相手以外の相手に送信すべきメールを作成するためのメール作成画面を前記ディスプレイに表示する表示制御手段
とを具えていることを特徴とする携帯電話機。
【請求項２】
ケーシングを閉じた状態で操作が可能な位置に配備されたメール表示キーを具え、前記表示制御手段は、メールが受信された後にメール表示キーが操作されたときに、前記受信メールの内容を表示する表示動作を実行する請求項１に記載の携帯電話機。
【請求項３】
前記表示制御手段は、ケーシングを開いた状態でメールが受信された後にメール表示キーが操作されたときに、受信メールの内容を前記ディスプレイに表示した後、更にメール表示キーが操作されたときにメール作成画面を前記ディスプレイに表示する請求項２に記載の携帯電話機。
【請求項４】
開閉可能なケーシングと、ケーシングを開くことによって表示面が外部に露出する主ディスプレイと、ケーシングを閉じた状態で表示面が外部に露出する補助ディスプレイと、ケーシングを開くことによって操作面が外部に露出するキー入力装置とを具え、電子情報からなるメールの送受信が可能な携帯電話機において、
ケーシングの開閉状態を検出する開閉検出手段と、
メールを受信する受信手段と、
ケーシングを閉じた状態でメールが受信されたとき、受信メールの内容を前記補助ディスプレイに表示した後、ケーシングの開状態が検出されたとき、受信メールの送信相手又は該送信相手以外の相手に送信すべきメールを作成するためのメール作成画面を前記主ディスプレイに表示する表示制御手段
とを具えていることを特徴とする携帯電話機。
【請求項５】
ケーシングを閉じた状態で操作が可能な位置に配備されたメール表示キーを具え、前記表示制御手段は、メールが受信された後にメール表示キーが操作されたときに、前記受信メールの内容を表示する表示動作を実行する請求項４に記載の携帯電話機。
【請求項６】
前記表示制御手段は、ケーシングを開いた状態でメールが受信された後にメール表示キーが操作されたときに、受信メールの内容を前記主ディスプレイに表示した後、更にメール表示キーが操作されたときにメール作成画面を前記主ディスプレイに表示する請求項５に記載の携帯電話機。
【発明の詳細な説明】
【０００１】
【発明の属する技術分野】
本発明は、電子情報からなるメールの送受信が可能な携帯電話機に関し、特に、メールを返信する際の一連の操作が簡易な携帯電話機に関するものである。
【０００２】
【従来の技術】
折り畳み式携帯電話機は、本体ケースに蓋体ケースを開閉可能に連結してなるケーシングを具え、本体ケースの内面にキー入力装置の操作面及び送話部が配備される一方、蓋体ケースの内面にディスプレイの表示面及び受話部が配備されている。携帯時には本体ケースと蓋体ケースを折り畳むことによって小型化し、送受信時には、両ケースを開くことによって、キー入力装置の操作面、送話部、ディスプレイの表示面及び受話部を露出させて、通話を可能とすることが出来る。ところで、近年普及している携帯電話機は、メールの送受信機能を有しており、かかる機能を有する折り畳み式携帯電話機においては、メールの受信時には、ユーザは、先ず、本体ケース及び蓋体ケースを開くことによってキー入力装置の操作面とディスプレイの表示面を露出させた後、メール表示キーを操作することによって、受信メールの内容をディスプレイに表示させる。この様にして、ユーザは、受信メールを読むことが出来る。
受信メールの送信相手にメールを返信する場合には、上述の如く受信メールの内容がディスプレイに表示されている状態で、返信メール作成キーを操作することによって、返信メールを作成するための返信メール作成画面をディスプレイに表示させ、この状態で文字入力操作を行なうことによって送信メール信号を作成させる。最後に、メール送信キーを操作することによって、作成した送信メール信号を前記送信相手の通信機器に向けて送信させる。この様にして、ユーザは、受信メールの送信相手にメールを返信することが出来る。
【０００３】
【発明が解決しようとする課題】
しかしながら、従来の携帯電話機においては、メールを受信した後にメールを返信する際、上述の如く、ケーシングを開く操作、メール表示キーに対する操作、返信メール作成キーに対する操作、文字入力操作、及びメール送信キーに対する操作を順次、行なわねばならず、この一連の操作が極めて煩雑である問題があった。
本発明の目的は、メールを返信する際の一連の操作が従来よりも簡易な携帯電話機を提供することである。
【０００４】
【課題を解決する為の手段】
本発明に係る第１の携帯電話機は、開閉可能なケーシングと、ケーシングの開閉に拘わらず表示面が外部に露出しているディスプレイと、文字を入力するための複数の操作キーを有し、ケーシングを開くことによって操作面が外部に露出するキー入力装置とを具え、電子情報からなるメールの送受信が可能である。そして該携帯電話機は、特徴的構成において、
ケーシングの開閉状態を検出する開閉検出手段と、
メールを受信する受信手段と、
ケーシングを閉じた状態でメールが受信されたとき、受信メールの内容を前記ディスプレイに表示した後、ケーシングの開状態が検出されたとき、受信メールの送信相手又は該送信相手以外の相手に送信すべきメールを作成するためのメール作成画面を前記ディスプレイに表示する表示制御手段
とを具えている。
【０００５】
本発明に係る第１の携帯電話機においては、ケーシングを閉じた状態でメールが受信されたとき、受信メールの内容がディスプレイに表示される。ここで、ディスプレイの表示面はケーシングを閉じた状態で外部に露出しているので、ユーザは、受信メールを読むことが出来る。
上記携帯電話機においては、文字を入力するための複数の操作キーを有するキー入力装置は、ケーシングを開くことにより操作面が外部に露出して操作が可能となる。従って、ユーザは、前記受信メールの送信相手にメールを返信する場合、或いは該送信相手以外の相手にメールを転送する場合には、文字を入力するためにケーシングを開くことになる。
そこで、上記携帯電話機においては、受信メールの内容がディスプレイに表示された後にケーシングが開かれたとき、前記受信メールの送信相手又は送信相手以外の相手に送信すべきメールを作成するためのメール作成画面がディスプレイに表示される。ここで、ディスプレイの表示面はケーシングを開いた状態でも外部に露出しているので、ユーザは、ディスプレイに表示されたメール作成画面を見ることが出来る。この状態で、ユーザの文字入力操作に応じてメールが作成され、作成されたメールは、前記受信メールの送信相手又は該送信相手以外の相手に送信される。
本発明に係る第１の携帯電話機においては、上述の如くケーシングを開くことによってメール作成画面がディスプレイに表示されるので、ケーシングを開いた後に返信メール作成キーを操作する必要のあった従来の携帯電話機に比べて、メールを返信する際の一連の操作が簡易となる。
【０００６】
具体的には、ケーシングを閉じた状態で操作が可能な位置に配備されたメール表示キーを具え、前記表示制御手段は、メールが受信された後にメール表示キーが操作されたときに、前記受信メールの内容を表示する表示動作を実行する。
【０００７】
上記具体的構成においては、ケーシングには、該ケーシングを閉じた状態で操作が可能な位置にメール表示キーが配備されており、ケーシングを閉じた状態でメールが受信されたとき、該メール表示キーを操作することによって受信メールの内容をディスプレイに表示させることが出来る。
【０００８】
又、具体的には、前記表示制御手段は、ケーシングを開いた状態でメールが受信された後にメール表示キーが操作されたときに、受信メールの内容を前記ディスプレイに表示した後、更にメール表示キーが操作されたときにメール作成画面を前記ディスプレイに表示する。
【０００９】
上記具体的構成においては、ケーシングを開いた状態でメールが受信されたとき、メール表示キーを操作することによって受信メールの内容をディスプレイに表示させ、その後、更にメール表示キーを操作することによってメール作成画面をディスプレイに表示させることが出来る。
【００１０】
本発明に係る第２の携帯電話機は、開閉可能なケーシングと、ケーシングを開くことによって表示面が外部に露出する主ディスプレイと、ケーシングを閉じた状態で表示面が外部に露出する補助ディスプレイと、ケーシングを開くことによって操作面が外部に露出するキー入力装置とを具え、電子情報からなるメールの送受信が可能である。そして該携帯電話機は、特徴的構成において、
ケーシングの開閉状態を検出する開閉検出手段と、
メールを受信する受信手段と、
ケーシングを閉じた状態でメールが受信されたとき、受信メールの内容を前記補助ディスプレイに表示した後、ケーシングの開状態が検出されたとき、受信メールの送信相手又は該送信相手以外の相手に送信すべきメールを作成するためのメール作成画面を前記主ディスプレイに表示する表示制御手段
とを具えている。
【００１１】
本発明に係る第２の携帯電話機においては、ケーシングを閉じた状態でメールが受信されたとき、受信メールの内容が補助ディスプレイに表示される。ここで、補助ディスプレイの表示面はケーシングを閉じた状態でも外部に露出しているので、ユーザは、受信メールを読むことが出来る。
上記携帯電話機においては、文字を入力するための複数の操作キーを有するキー入力装置は、ケーシングを開くことにより操作面が外部に露出して操作が可能となる。従って、ユーザは、前記受信メールの送信相手にメールを返信する場合、或いは該送信相手以外の相手にメールを転送する場合には、文字を入力するためにケーシングを開くことになる。
そこで、上記携帯電話機においては、受信メールの内容が補助ディスプレイに表示された後にケーシングが開かれたとき、前記受信メールの送信相手又は送信相手以外の相手に送信すべきメールを作成するためのメール作成画面が主ディスプレイに表示される。ここで、主ディスプレイの表示面はケーシングを開くことによって外部に露出するので、ユーザは、主ディスプレイに表示されたメール作成画面を見ることが出来る。この状態で、ユーザの文字入力操作に応じてメールが作成され、作成されたメールは、前記受信メールの送信相手又は該送信相手以外の相手に送信される。
本発明に係る第２の携帯電話機においては、上述の如くケーシングを開くことによってメール作成画面が主ディスプレイに表示されるので、ケーシングを開いた後に返信メール作成キーを操作する必要のあった従来の携帯電話機に比べて、メールを返信する際の一連の操作が簡易となる。
【００１２】
具体的には、ケーシングを閉じた状態で操作が可能な位置に配備されたメール表示キーを具え、前記表示制御手段は、メールが受信された後にメール表示キーが操作されたときに、前記受信メールの内容を表示する表示動作を実行する。
【００１３】
上記具体的構成においては、ケーシングには、該ケーシングを閉じた状態で操作が可能な位置にメール表示キーが配備されており、ケーシングを閉じた状態でメールが受信されたとき、該メール表示キーを操作することによって受信メールの内容をディスプレイに表示させることが出来る。
【００１４】
又、具体的には、前記表示制御手段は、ケーシングを開いた状態でメールが受信された後にメール表示キーが操作されたときに、受信メールの内容を前記主ディスプレイに表示した後、更にメール表示キーが操作されたときにメール作成画面を前記主ディスプレイに表示する。
【００１５】
上記具体的構成においては、ケーシングを開いた状態でメールが受信されたとき、メール表示キーを操作することによって受信メールの内容を主ディスプレイに表示させ、その後、更にメール表示キーを操作することによってメール作成画面を主ディスプレイに表示させることが出来る。
【００１６】
【発明の効果】
本発明に係る携帯電話機によれば、メールを返信する際の一連の操作が従来よりも簡易となる。
【００１７】
【発明の実施の形態】
以下、本発明の実施の形態につき、２つの実施例に基づいて図面に沿って具体的に説明する。
第１実施例
本実施例の携帯電話機は、図１及び図２に示す如く、上半ケース（１１）及び下半ケース（１２）からなるケーシング（１）を具え、上半ケース（１１）及び下半ケース（１２）は、互いに上下に摺動可能に係合しており、図１に示す如く上半ケース（１１）の前面位置と下半ケース（１２）の前面位置とを互いに上下にずらした状態と、図２に示す如く上半ケース（１１）の前面位置と下半ケース（１２）の前面位置とを互いに一致させた状態との間で、開閉操作が可能となっている。この様にして、開閉可能なケーシング（１）が構成されている。
【００１８】
上半ケース（１１）の前面には、スピーカを内蔵した受話部（２）が配備されると共に、有機エレクトロルミネッセンスディスプレイからなる主ディスプレイ（１３ａ）及び液晶ディスプレイからなる補助ディスプレイ（１３ｂ）が配備されている。これらのディスプレイ（１３ａ）（１３ｂ）の表示面は共に、図１及び図２の如く、ケーシング（１）の開閉状態に拘わらず外部に露出しており、何れの状態においても、主ディスプレイ（１３ａ）及び補助ディスプレイ（１３ｂ）の表示面に表示された情報を見ることが可能である。
主ディスプレイ（１３ａ）の表示面は、文字情報を複数行に亘って表示することが可能な大きな面積を有している。又、主ディスプレイ（１３ａ）は、待受け状態では、消費電力を節減すべく表示動作がオフに設定されており、後述の如く、ユーザ操作があったときに表示動作がオンとなって、受信メールの内容や後述のメール作成画面が表示される。
一方、補助ディスプレイ（１３ｂ）の表示面は、主ディスプレイ（１３ａ）に比べて大幅に小さな面積、例えば文字情報を１行のみ表示することが可能な面積を有している。又、補助ディスプレイ（１３ｂ）の表示面には、待受け状態では、日時や内蔵する二次電池の残容量を表わす電池マーク等が表示されており、メールの受信時には、メールが受信されたことを表わすメール受信マークが表示される。
【００１９】
又、上半ケース（１１）の前面には、複数の操作キーからなる上部キー入力装置（１４ａ）が配備されている。上部キー入力装置（１４ａ）の操作面は、図１及び図２の如く、ケーシング（１）の開閉状態に拘わらず外部に露出しており、何れの状態においても押下操作が可能である。又、上部キー入力装置（１４ａ）を構成する複数の操作キーには、後述の如く受信メールの内容を表示させる際に操作すべきメール表示キー（１４０）が含まれている。
又、上半ケース（１１）には、図１の如く、前面及び背面の上端部に、２つのＣＣＤカメラ（３）（３０）が配備されている。上半ケース（１１）の前面に配備されたＣＣＤカメラ（以下、前面カメラという）（３）のレンズ部は、図１及び図２の如く、ケーシング（１）の開閉状態に拘わらず外部に露出しており、何れの状態においても画像撮影が可能である。一方、上半ケース（１１）の背面に配備されたＣＣＤカメラ（以下、背面カメラという）（３０）のレンズ部は、ケーシング（１）を開くことによって図１の如く外部に露出し、ケーシング（１）を開いた状態でのみ画像撮影が可能である。
更に、上半ケース（１１）の下端部には、磁石（１８ａ）が配備されている。
【００２０】
一方、下半ケース（１２）の前面には、マイクロフォンを内蔵した送話部（２０）が配備されると共に、複数の操作キーからなる下部キー入力装置（１４ｂ）が配備されている。下部キー入力装置（１４ｂ）の操作面は、ケーシング（１）を開くことによって図１の如く外部に露出し、ケーシング（１）を開いた状態でのみ押下操作が可能である。又、下部キー入力装置（１４ｂ）を構成する複数の操作キーには、複数のテンキーや、後述の如くメールを送信させる際に操作すべきメール送信キーが含まれている。
又、下半ケース（１２）の背部には、伸縮式アンテナ（１５）が配備されている。
更に、下半ケース（１２）の下端部には、磁気センサ（１８ｂ）が配備されている。該磁気センサ（１８ｂ）は、上半ケース（１１）の下端部に配備された前記磁石（１８ａ）が接近することによってオンのセンサ信号を出力する一方、前記磁石（１８ａ）が離間することによってオフのセンサ信号を出力する。従って、磁気センサ（１８ｂ）から出力されるセンサ信号に基づいて、ケーシング（１）の開閉状態が検出される。
【００２１】
図３は、上記携帯電話機の電気的構成を表わしている。図示の如く、デュープレクサ（１６）に対して並列に受信回路（１７ａ）及び送信回路（１７ｂ）が接続されており、アンテナ（１５）によって受信された信号は、デュープレクサ（１６）を経て受信回路（１７ａ）に供給され、受話信号或いは受信メール信号が復調される。受話信号は、制御回路（１０）を経てスピーカ（２１）へ供給されて、放音される。一方、受信メール信号は制御回路（１０）に供給され、該回路（１０）によってメモリ（１９）に書き込まれる。
又、マイクロフォン（２２）に入力された送話信号は、制御回路（１０）を経て送信回路（１７ｂ）へ供給され、変調を受ける。又、制御回路（１０）によって作成された送信メール信号は、送信回路（１７ｂ）へ供給されて変調を受ける。変調を受けた送話信号或いは送信メール信号は、デュープレクサ（１６）を経てアンテナ（１５）から送信される。
上記制御回路（１０）には、上述の主ディスプレイ（１３ａ）、補助ディスプレイ（１３ｂ）、上部キー入力装置（１４ａ）、下部キー入力装置（１４ｂ）、前面カメラ（３）、背面カメラ（３０）及び磁気センサ（１８ｂ）が接続されている。
【００２２】
本発明に係る携帯電話機は、受信メールの送信相手にメールを返信する際の操作が簡易な簡易返信モードをオン／オフ設定することが可能であって、ユーザは、携帯電話機の使用に際し、予め簡易返信モードをオン或いはオフの何れかの状態に設定しておく。
【００２３】
図４は、上記制御回路（１０）によって実行されるメール返信手続を表わしている。
電源がオンに設定されると、先ずステップＳ１にて、各ポートの設定等、必要な初期設定を行なった後、ステップＳ２では、簡易返信モードがオンに設定されているか否かを判断し、ノーと判断された場合はステップＳ３に移行して、通常のメール受信動作及びメール返信動作を実行した後、ステップＳ２に戻る。
ステップＳ２にてイエスと判断された場合は、ステップＳ４にてケーシング（１）が閉じられているか否かを判断し、イエスと判断された場合はステップＳ５に移行して、メールが受信されたか否かを判断する一方、ノーと判断された場合はステップＳ１４に移行して、メールが受信されたか否かを判断する。ステップＳ５或いはステップＳ１４にてノーと判断された場合は、ステップＳ１３に移行して電話機本体を待受け状態に設定した後、ステップＳ２に戻る。
【００２４】
その後、ケーシング（１）が閉じられている状態でメールが受信されると、ステップＳ５にてイエスと判断されてステップＳ６に移行し、受信メール信号をメモリ（１９）に書き込む動作、及びメール受信マークを補助ディスプレイ（１３ｂ）に表示すると共に一定時間だけ着信音を発生させる動作を実行した後、ステップＳ７にて上部キー入力装置（１４ａ）のメール表示キー（１４０）が押下されたか否かを判断し、ノーと判断された場合は、ステップＳ１３に移行して電話機本体を待受け状態に設定した後、ステップＳ２に戻る。
【００２５】
一方、メール表示キー（１４０）が押下されると、ステップＳ７にてイエスと判断されてステップＳ８に移行し、メモリ（１９）から受信メール信号を読み出して、受信メールの内容を主ディスプレイ（１３ａ）に表示する。
続いてステップＳ９では、ケーシング（１）が開かれたか否かを判断し、ノーと判断された場合は、ステップＳ１３に移行して電話機本体を待受け状態に設定した後、ステップＳ２に戻る。
【００２６】
上述の如く受信メールの内容が主ディスプレイ（１３ａ）に表示されている状態でケーシング（１）が開かれると、ステップＳ９にてイエスと判断されてステップＳ１０に移行し、前記受信メールの送信相手に返信すべき返信メールを作成するための返信メール作成画面を主ディスプレイ（１３ａ）に表示する。この状態で、ユーザにより下部キー入力装置（１３ｂ）を用いて文字入力操作が行なわれると、該入力操作に応じて送信メール信号を作成する。
【００２７】
その後、ステップＳ１１では、下部キー入力装置（１４ｂ）のメール送信キーが押下されたか否かを判断し、ノーと判断された場合はステップＳ１０に戻る一方、イエスと判断された場合はステップＳ１２に移行して、作成された送信メール信号を送信回路（１７ｂ）に供給する。この結果、送信メール信号が前記受信メールの送信相手の通信機器に送信されることになる。最後に、ステップＳ１３にて、電話機本体を待受け状態に設定した後、ステップＳ２に戻る。
【００２８】
ケーシング（１）が開かれている状態でメールが受信されると、上記ステップＳ１４にてイエスと判断されてステップＳ１５に移行し、受信メール信号をメモリ（１９）に書き込む動作、及びメール受信マークを補助ディスプレイ（１３ｂ）に表示すると共に一定時間だけ着信音を発生させる動作を実行した後、ステップＳ１６にて上部キー入力装置（１４ａ）のメール表示キー（１４０）が押下されたか否かを判断し、ノーと判断された場合は、ステップＳ１３に移行して電話機本体を待受け状態に設定した後、ステップＳ２に戻る。
【００２９】
一方、メール表示キー（１４０）が押下されると、ステップＳ１６にてイエスと判断されてステップＳ１７に移行し、メモリ（１９）から受信メール信号を読み出して、受信メールの内容を主ディスプレイ（１３ａ）に表示する。
続いてステップＳ１８では、ケーシング（１）が閉じられたか否かを判断し、イエスと判断された場合はステップＳ１３に移行して、電話機本体を待受け状態に設定した後、ステップＳ２に戻る。
一方、ステップＳ１８にてノーと判断された場合はステップＳ１９に移行して、上部キー入力装置（１４ａ）のメール表示キー（１４０）が押下されたか否かを判断し、ノーと判断された場合はステップＳ１７に戻る一方、イエスと判断された場合はステップＳ１０に移行して、返信メール作成画面を主ディスプレイ（１３ａ）に表示する。その後、上述のステップＳ１１乃至ステップＳ１３の手続を実行した後、ステップＳ２に戻る。
【００３０】
上記手続によれば、簡易返信モードがオンに設定されている場合、ケーシング（１）が閉じられている状態でメールが受信されると、メール受信マークが補助ディスプレイ（１３ｂ）に表示されると共に一定時間だけ着信音が発生し、その後、上部キー入力装置（１４ａ）のメール表示キー（１４０）が押下されると、受信メールの内容が主ディスプレイ（１３ａ）に表示される。続いてケーシング（１）が開かれると、返信メール作成画面が主ディスプレイ（１３ａ）に表示され、この状態で文字入力操作が行なわれると、該操作に応じて送信メール信号が作成される。その後、下部キー入力装置（１４ｂ）のメール送信キーが押下されると、作成された送信メール信号が前記受信メールの送信相手の通信機器に送信される。
【００３１】
これに対し、ケーシング（１）が開かれている状態でメールが受信されると、メール受信マークが補助ディスプレイ（１３ｂ）に表示されると共に一定時間だけ着信音が発生し、その後、上部キー入力装置（１４ａ）のメール表示キー（１４０）が押下されると、受信メールの内容が主ディスプレイ（１３ａ）に表示される。更にメール表示キー（１４０）が押下されると、返信メール作成画面が主ディスプレイ（１３ａ）に表示され、この状態で文字入力操作が行なわれると、該操作に応じて送信メール信号が作成される。その後、下部キー入力装置（１４ｂ）のメール送信キーが押下されると、作成された送信メール信号が前記受信メールの送信相手の通信機器に送信される。一方、上述の如く受信メールの内容が主ディスプレイ（１３ａ）に表示されている状態でケーシング（１）が閉じられると、電話機本体は待受け状態に戻る。
【００３２】
本実施例の携帯電話機においては、簡易返信モードがオンに設定されている状態でメールが受信された場合、ユーザは後述の操作を行なう。
ケーシング（１）が閉じられている状態でメールが受信された場合、先ず、上部キー入力装置（１４ａ）のメール表示キー（１４０）を押下することによって受信メールの内容を主ディスプレイ（１３ａ）に表示させる。ここで、主ディスプレイ（１３ａ）の表示面は、図２の如くケーシング（１）を閉じた状態で外部に露出しているので、ユーザは、主ディスプレイ（１３ａ）に表示された受信メールを読むことが出来る。
続いて、前記受信メールの送信相手にメールを返信する場合には、文字を入力するための下部キー入力装置（１４ｂ）の操作面を外部に露出させるためにケーシング（１）を開く操作を行なう。該操作によって、返信メール作成画面が主ディスプレイ（１３ａ）に表示されることになる。ここで、主ディスプレイ（１３ａ）の表示面は、図１の如くケーシング（１）を開いた状態でも外部に露出しているので、ユーザは、主ディスプレイ（１３ａ）に表示された返信メール作成画面を見ることが出来る。次に、下部キー入力装置（１４ｂ）の複数の操作キーを用いて文字入力操作を行なうことによって、送信メール信号を作成させる。最後に、下部キー入力装置（１４ｂ）のメール送信キーを押下することによって、作成された送信メール信号を前記送信相手の通信機器に向けて送信させる。この様にして、ユーザは、受信メールの送信相手にメールを返信することが出来る。
【００３３】
これに対し、ケーシング（１）が開かれている状態でメールが受信された場合は、先ず、上部キー入力装置（１４ａ）のメール表示キー（１４０）を押下することによって受信メールの内容を主ディスプレイ（１３ａ）に表示させる。ここで、主ディスプレイ（１３ａ）の表示面は、図１の如くケーシング（１）を開いた状態で外部に露出しているので、ユーザは、主ディスプレイ（１３ａ）に表示された受信メールを読むことが出来る。
続いて、前記受信メールの送信相手にメールを返信する場合には、受信メールの内容が主ディスプレイ（１３ａ）に表示されている状態で再び上部キー入力装置（１４ａ）のメール表示キー（１４０）を押下することによって、返信メール作成画面を主ディスプレイ（１３ａ）に表示させ、この状態で、下部キー入力装置（１４ａ）の複数の操作キーを用いて文字入力操作を行なうことによって送信メール信号を作成させる。最後に、下部キー入力装置（１４ｂ）のメール送信キーを押下することによって、作成された送信メール信号を前記送信相手の通信機器に向けて送信させる。この様にして、ユーザは、受信メールの送信相手にメールを返信することが出来る。
【００３４】
本実施例の携帯電話機においては、簡易返信モードをオンに設定しておけば、ケーシング（１）が閉じられている状態でメールが受信された場合、上述の如くケーシング（１）を開くことによって返信メール作成画面が主ディスプレイ（１３ａ）に表示される。従って、ケーシングを開いた後に返信メール作成キーを操作する必要のあった従来の携帯電話機に比べて、受信メールの送信相手にメールを返信する際の一連の操作が簡易となる。
又、上述の如く、メール表示キー（１４０）に対する操作のみを行なうことによって、ケーシング（１）を閉じた状態で受信メールを読むことが出来る。従って、受信メールの送信相手にメールを返信しない場合、受信メールを読むためにケーシングを開く必要があった従来の携帯電話機に比べて、受信メールを読む際の操作が簡易となる。
【００３５】
第２実施例
本実施例の携帯電話機は、図５及び図６に示す如く扁平な本体ケース（４１）と蓋体ケース（４２）を具え、本体ケース（４１）の上端部と蓋体ケース（４２）の下端部とがヒンジ機構（４３）を介して互いに連結されて、図５の如く蓋体ケース（４２）を開いた状態と、図６の如く蓋体ケース（４２）を閉じた状態の間で、開閉操作が可能となっている。この様にして、折り畳みが可能なケーシングが構成されている。
【００３６】
本体ケース（４１）の前面には、マイクロフォンを内蔵した送話部（４６）が配備されると共に、複数の操作キーからなるキー入力装置（４５）が配備されている。キー入力装置（４５）の操作面は、ケーシング（４）を開くことによって図１の如く外部に露出し、ケーシング（４）を開いた状態でのみ押下操作が可能である。又、キー入力装置（４５）を構成する複数の操作キーには、複数のテンキーや、後述の如くメールを送信させる際に操作すべきメール送信キーが含まれている。
又、本体ケース（４１）の背部には、伸縮式アンテナ（４４）が配備されている。
【００３７】
更に、本体ケース（４１）の側部には、受信メールの内容を表示させる際に操作すべきメール表示キー（４５０）が配備されている。該キー（４５０）は、図５及び図６の如くケーシング（４）の開閉状態に拘わらず外部に露出しており、何れの状態においても押下操作が可能である。
【００３８】
一方、蓋体ケース（４２）の前面には、図５の如く、スピーカを内蔵した受話部（４８）が配備されると共に、液晶ディスプレイからなる主ディスプレイ（４７ａ）が配備されている。主ディスプレイ（４７ａ）の表示面は、ケーシング（４）を開くことによって図５の如く外部に露出し、ケーシング（４）を開いた状態でのみ、主ディスプレイ（４７ａ）に表示された情報を見ることが可能である。又、主ディスプレイ（４７ａ）の表示面は、文字情報を複数行に亘って表示することが可能な大きな面積を有しており、該表示面には、受信メールの内容や返信メール作成画面が表示される。
又、蓋体ケース（４２）の前面には、蓋体ケース（４２）の開閉を検出するための開閉検出スイッチ（４９）が配備されており、該開閉検出スイッチ（４９）は、蓋体ケース（４２）を閉じることによってオンとなる一方、蓋体ケース（４２）を開くことによってオフとなる。
更に、蓋体ケース（４２）の前面には、ＣＣＤカメラ（５）が配備されており、該カメラ（５）のレンズ部は、ケーシング（４）を開くことによって外部に露出し、ケーシング（４）を開いた状態でのみ画像撮影が可能である。
【００３９】
又、蓋体ケース（４２）の背面には、図６の如く、液晶ディスプレイからなる補助ディスプレイ（４７ｂ）が配備されている。該補助ディスプレイ（４７ｂ）の表示面は、ケーシング（４）を閉じた状態でも外部に露出しており、ケーシング（４）を閉じた状態であっても補助ディスプレイ（４）に表示された情報を見ることが可能である。又、補助ディスプレイ（４７ｂ）の表示面は、文字情報を複数行に亘って表示することが可能な大きな面積を有している。補助ディスプレイ（４７ｂ）は、ケーシング（４）を閉じた状態でのみ表示動作がオンに設定されて、待受け状態では日時や電池マーク等が表示されており、メールの受信時にはメール受信マークが表示されると共に、後述の如く受信メールの内容が表示される。
更に、蓋体ケース（４２）の背面には、ＣＣＤカメラ（５０）が配備されている。該ＣＣＤカメラ（５０）のレンズ部は、図５及び図６の如くケーシング（４）の開閉状態に拘わらず外部に露出しており、何れの状態においても画像撮影が可能である。
【００４０】
図７は、本実施例の制御回路によって実行されるメール返信手続を表わしている。
電源がオンに設定されると、先ずステップＳ２１にて、各ポートの設定等、必要な初期設定を行なった後、ステップＳ２２では、簡易返信モードがオンに設定されているか否かを判断し、ノーと判断された場合はステップＳ２３に移行して、通常のメール受信動作及びメール返信動作を実行した後、ステップＳ２２に戻る。
ステップＳ２２にてイエスと判断された場合は、ステップＳ２４にてケーシング（４）が閉じられているか否かを判断し、イエスと判断された場合はステップＳ２５に移行して、メールが受信されたか否かを判断する一方、ノーと判断された場合はステップＳ３４に移行して、メールが受信されたか否かを判断する。ステップＳ２５或いはステップＳ３４にてノーと判断された場合は、ステップＳ３３に移行して電話機本体を待受け状態に設定した後、ステップＳ２２に戻る。
【００４１】
その後、ケーシング（４）が閉じられている状態でメールが受信されると、ステップＳ２５にてイエスと判断されてステップＳ２６に移行し、受信メール信号をメモリに書き込む動作、及びメール受信マークを補助ディスプレイ（４７ｂ）に表示すると共に一定時間だけ着信音を発生させる動作を実行した後、ステップＳ２７にてメール表示キー（４５０）が押下されたか否かを判断し、ノーと判断された場合は、ステップＳ３３に移行して電話機本体を待受け状態に設定した後、ステップＳ２２に戻る。
【００４２】
一方、メール表示キー（４５０）が押下されると、ステップＳ２７にてイエスと判断されてステップＳ２８に移行し、メモリから受信メール信号を読み出して、受信メールの内容を補助ディスプレイ（４７ｂ）に表示する。
続いてステップＳ２９では、ケーシング（４）が開かれたか否かを判断し、ノーと判断された場合は、ステップＳ３３に移行して電話機本体を待受け状態に設定した後、ステップＳ２２に戻る。
【００４３】
上述の如く受信メールの内容が補助ディスプレイ（４７ｂ）に表示されている状態でケーシング（４）が開かれると、ステップＳ２９にてイエスと判断されてステップＳ３０に移行し、受信メールの送信相手に返信すべき返信メールを作成するための返信メール作成画面を主ディスプレイ（４７ａ）に表示する。この状態で、ユーザによりキー入力装置（４５）を用いて文字入力操作が行なわれると、該入力操作に応じて送信メール信号を作成する。
【００４４】
その後、ステップＳ３１では、キー入力装置（４５）のメール送信キーが押下されたか否かを判断し、ノーと判断された場合はステップＳ３０に戻る一方、イエスと判断された場合はステップＳ３２に移行して、作成された送信メール信号を送信回路に供給する。この結果、送信メール信号が受信メールの送信相手の通信機器に送信されることになる。最後に、ステップＳ３３にて、電話機本体を待受け状態に設定した後、ステップＳ２２に戻る。
【００４５】
ケーシング（４）が開かれている状態でメールが受信されると、上記ステップＳ３４にてイエスと判断されてステップＳ３５に移行し、受信メール信号をメモリに書き込む動作、及びメール受信マークを補助ディスプレイ（４７ｂ）に表示すると共に一定時間だけ着信音を発生させる動作を実行した後、ステップＳ３６にメール表示キー（４５０）が押下されたか否かを判断し、ノーと判断された場合は、ステップＳ３３に移行して電話機本体を待受け状態に設定した後、ステップＳ２２に戻る。
【００４６】
一方、メール表示キー（４５０）が押下されると、ステップＳ３６にてイエスと判断されてステップＳ３７に移行し、メモリから受信メール信号を読み出して、受信メールの内容を主ディスプレイ（４７ａ）に表示する。
続いてステップＳ３８では、ケーシング（４）が閉じられたか否かを判断し、イエスと判断された場合はステップＳ３３に移行して、電話機本体を待受け状態に設定した後、ステップＳ２２に戻る。
一方、ステップＳ３８にてノーと判断された場合はステップＳ３９に移行して、メール表示キー（４５０）が押下されたか否かを判断し、ノーと判断された場合はステップＳ３７に戻る一方、イエスと判断された場合はステップＳ３０に移行して、返信メール作成画面を主ディスプレイ（４７ａ）に表示する。その後、上述のステップＳ３１乃至ステップＳ３３の手続を実行した後、ステップＳ２２に戻る。
【００４７】
上記手続によれば、簡易返信モードがオンに設定されている場合、ケーシング（４）が閉じられている状態でメールが受信されると、メール受信マークが補助ディスプレイ（４７ｂ）に表示されると共に一定時間だけ着信音が発生し、その後、メール表示キー（４５０）が押下されると、受信メールの内容が補助ディスプレイ（４７ｂ）に表示される。続いてケーシング（４）が開かれると、返信メール作成画面が主ディスプレイ（４７ａ）に表示され、この状態で文字入力操作が行なわれると、該操作に応じて送信メール信号が作成される。その後、キー入力装置（４５）のメール送信キーが押下されると、作成された送信メール信号が前記受信メールの送信相手の通信機器に送信される。
【００４８】
これに対し、ケーシング（４）が開かれている状態でメールが受信されると、メール受信マークが主ディスプレイ（４７ａ）に表示されると共に一定時間だけ着信音が発生し、その後、メール表示キー（４５０）が押下されると、受信メールの内容が主ディスプレイ（４７ａ）に表示される。更にメール表示キー（４５０）が押下されると、返信メール作成画面が主ディスプレイ（４７ａ）に表示され、この状態で文字入力操作が行なわれると、該操作に応じて送信メール信号が作成される。その後、キー入力装置（４５）のメール送信キーが押下されると、作成された送信メール信号が前記受信メールの送信相手の通信機器に送信される。一方、上述の如く受信メールの内容が主ディスプレイ（４７ａ）に表示されている状態でケーシング（４）が閉じられると、電話機本体は待受け状態に戻る。
【００４９】
本実施例の携帯電話機においては、簡易返信モードがオンに設定されている状態でメールが受信された場合、ユーザは後述の操作を行なう。
ケーシング（４）が閉じられている状態でメールが受信された場合は、先ず、メール表示キー（４５０）を押下することによって受信メールの内容を補助ディスプレイ（４７ｂ）に表示させる。ここで、補助ディスプレイ（４７ｂ）の表示面は、図６の如くケーシング（４）を閉じた状態で外部に露出しているので、ユーザは、補助ディスプレイ（４７ｂ）に表示された受信メールを読むことが出来る。
続いて、前記受信メールの送信相手にメールを返信する場合には、文字を入力するためのキー入力装置（４５）の操作面を外部に露出させるためにケーシング（４）を開く操作を行なう。該操作によって、返信メール作成画面が主ディスプレイ（４７ａ）に表示されることになる。ここで、主ディスプレイ（４７ａ）の表示面は、ケーシング（４）を開くことによって図５の如く外部に露出するので、ユーザは、主ディスプレイ（４７ａ）に表示された返信メール作成画面を見ることが出来る。次に、キー入力装置（４５）の複数の操作キーを用いて文字入力操作を行なうことによって、送信メール信号を作成させる。最後に、キー入力装置（４５）のメール送信キーを押下することによって、作成された送信メール信号を前記送信相手の通信機器に向けて送信させる。この様にして、ユーザは、受信メールの送信相手にメールを返信することが出来る。
【００５０】
これに対し、ケーシング（４）が開かれている状態でメールが受信された場合は、先ず、メール表示キー（４５０）を押下することによって受信メールの内容を主ディスプレイ（４７ａ）に表示させる。ここで、主ディスプレイ（４７ａ）の表示面は、図５の如くケーシング（１）を開いた状態では外部に露出しているので、ユーザは、主ディスプレイ（４７ａ）に表示された受信メールを読むことが出来る。
続いて、前記受信メールの送信相手にメールを返信する場合には、受信メールの内容が主ディスプレイ（４７ａ）に表示されている状態で再びメール表示キー（４５０）を押下することによって、返信メール作成画面を主ディスプレイ（４７ａ）に表示させ、この状態で、キー入力装置（４５）の複数の操作キーを用いて文字入力操作を行なうことによって送信メール信号を作成させる。最後に、キー入力装置（４５）のメール送信キーを押下することによって、作成された送信メール信号を前記送信相手の通信機器に向けて送信させる。この様にして、ユーザは、受信メールの送信相手にメールを返信することが出来る。
【００５１】
本実施例の携帯電話機においては、簡易返信モードをオンに設定しておけば、ケーシング（４）が閉じられている状態でメールが受信された場合、上述の如くケーシング（４）を開くことによって返信メール作成画面が主ディスプレイ（４７ａ）に表示される。従って、ケーシングを開いた後に返信メール作成キーを操作する必要のあった従来の携帯電話機に比べて、受信メールの送信相手にメールを返信する際の一連の操作が簡易となる。
又、上述の如く、メール表示キー（４５０）に対する操作のみを行なうことによって、ケーシング（４）を閉じた状態で受信メールを読むことが出来る。従って、受信メールの送信相手にメールを返信しない場合、受信メールを読むためにケーシングを開く必要があった従来の携帯電話機に比べて、受信メールを読む際の操作が簡易である。
【００５２】
尚、本発明の各部構成は上記実施の形態に限らず、特許請求の範囲に記載の技術的範囲内で種々の変形が可能である。
例えば、第１実施例及び第２実施例においては、メールが受信された後、メール表示キーが操作されたときに受信メールの内容を表示する構成を採用しているが、これに限らず、メールが受信されたとき、ユーザ操作の有無に拘わらず自動的に受信メールの内容を表示する構成を採用することも可能である。
又、第１実施例及び第２実施例においては、メール送信キーが押下されたとき、ユーザの文字入力操作に応じて作成したメールを受信メールの送信相手に送信する構成を採用しているが、作成したメールの送信先が受信メールの送信相手以外の相手に変更されている場合には、作成したメールを変更後の相手に送信する構成を採用することも可能である。
又、本発明は、図８及び図９に示す如く、本体ケース（６１）と該ケース（６１）の前面に配備されたキー操作面（６０）のみを覆う蓋体（６２）とからなるケーシング（６）を具えた携帯電話機等、その他、周知の開閉可能なケーシングを具えた携帯電話機に実施することが可能である。
【図面の簡単な説明】
【図１】第１実施例の携帯電話機の開いた状態を表わす斜視図である。
【図２】上記携帯電話機の閉じた状態を表わす斜視図である。
【図３】本発明に係る携帯電話機の電気的構成を表わすブロック図である。
【図４】第１実施例の携帯電話機において実行されるメール返信手続を表わすフローチャートである。
【図５】第２実施例の携帯電話機の開いた状態を表わす斜視図である。
【図６】上記携帯電話機の閉じた状態を表わす斜視図である。
【図７】上記携帯電話機において実行されるメール返信手続を表わすフローチャートである。
【図８】他の実施例の携帯電話機の開いた状態を表わす斜視図である。
【図９】上記携帯電話機の閉じた状態を表わす斜視図である。
【符号の説明】
（１）    ケーシング
（１１）    上半ケース
（１２）    下半ケース
（１３ａ）  主ディスプレイ
（１３ｂ）  補助ディスプレイ
（１４ａ）  上部キー入力装置
（１４ｂ）  下部キー入力装置
（１５）  アンテナ
（２）  受話部
（２０）  送話部
（３）  前面カメラ
（３０）  背面カメラ
【図１】
0003561709.tif 000002
【図２】
0003561709.tif 000003
【図３】
0003561709.tif 000004
【図４】
0003561709.tif 000005
【図５】
0003561709.tif 000006
【図６】
0003561709.tif 000007
【図７】
0003561709.tif 000008
【図８】
0003561709.tif 000009
【図９】
0003561709.tif 000010